(57)【要約】    【課題】  使用状況や用途に応じ幅を適宜切り替えて、自分の背中の洗浄等に効果的に使用することができる布状材料製拭材の提供。    【解決手段】  略方形状の布状材料Ｂの幅方向における両側縁Ｓから３分の１の両第１折線Ｌ１の内側部分である基部領域Ｒと、幅方向における両側縁Ｓから６分の１の両第２折線Ｌ２と、各第２折線Ｌ２に隣接する第１折線Ｌ１との間の部分である２箇所の内側部領域Ｐと、幅方向における両側縁Ｓと、各側縁Ｓに隣接する第２折線Ｌ２との間の部分である２箇所の外側部領域Ｑを有する。両第１折線Ｌ１に沿って内向きに同じ側に折り畳むと共に両第２折線Ｌ２に沿って外向きに同じ側に折り畳むことにより、基部領域Ｒに内側部領域Ｐを重ねると共に両内側部領域Ｐに両外側部領域Ｑを重ね、幅方向に直交する方向の両端部Ｅで接合する。両端部Ｅに、紐状体からなる略Ｕ字状の保持用部Ｈを設ける。【選択図】      図１
2018015167.tif 000002
【特許請求の範囲】
【請求項１】
略方形状の布状材料製の拭材であって、
幅方向における一方の側縁と二等分線との間の幅方向に直交する所定の直線に沿う一方の第１折線と、幅方向における他方の側縁と二等分線との間の幅方向に直交する所定の直線に沿う他方の第１折線との間の部分である基部領域と、
幅方向における両側縁と、各側縁に隣接する第１折線との間の部分である一対の側部領域を有し、
前記両第１折線に沿って内向きに同じ側に折り畳まれ、
前記基部領域に、前記両側部領域又は前記両側部領域のうち各第１折線側の部分及び更に折り返した部分が重なり、
幅方向に直交する方向の両端部において基部領域と前記両側部領域又は前記両側部領域のうち各第１折線側の部分及び更に折り返した部分が厚さ方向に重なった状態で接合されており、
前記両端部の何れか一方又は両方に、使用者の手で保持するための保持用部が設けられ、
幅方向に直交する方向の両端部の間の部分において、前記両第１折線における折り畳み状態が解除されて基部領域と両側部領域が拡開状態となり得るものであることを特徴とする布状材料製拭材。
【請求項２】
上記各側部領域において、幅方向における側縁と第１折線の間の幅方向に直交する所定の直線に沿う第２折線を有し、第２折線と第１折線との間が内側部領域、第２折線と側縁との間が外側部領域であり、
前記両第１折線に沿って内向きに同じ側に折り畳まれると共に前記両第２折線に沿って外向きに同じ側に折り畳まれ、
前記基部領域に前記両内側部領域が重なると共に、前記両内側部領域に前記両外側部領域が重なり、
幅方向に直交する方向の両端部において基部領域と両内側部領域と両外側部領域が厚さ方向に重なった状態で接合されており、
幅方向に直交する方向の両端部の間の部分において、前記両第１折線及び前記両第２折線における折り畳み状態が解除されて基部領域と両内側部領域と両外側部領域が拡開状態となり得るものである請求項１記載の布状材料製拭材。
【請求項３】
上記両第１折線が、略方形状の布状材料の幅方向における両側縁からそれぞれほぼ３分の１の幅の位置の幅方向に直交する直線に沿うものであり、
上記両第２折線が、略方形状の布状材料の幅方向における両側縁からそれぞれほぼ６分の１の幅の位置の幅方向に直交する直線に沿うものである請求項２記載の布状材料製拭材。
【請求項４】
略方形状の布状材料が、幅方向に対し直交する方向が長手方向である長方形状である請求項１乃至３の何れか１項に記載の布状材料製拭材。
【請求項５】
保持用部が、可撓性材料製又は剛性材料製の略Ｕ字状をなすものであり、その両端が、幅方向に直交する方向の端部に結合されている請求項１乃至４の何れか１項に記載の布状材料製拭材。
【発明の詳細な説明】
【技術分野】
【０００１】
本発明は、背中等の身体の洗浄やその他の用途のための布状材料製拭材に関する
【背景技術】
【０００２】
特開２００７−２４４４５９号公報には、長さ９０−１００ｃｍ、幅１５−２０ｃｍの比較的細長い編物の両端に、編物の幅に対応する幅の取手３が設けられたタオルに関する発明が記載されている。
【０００３】
このタオルは、布幅が比較的狭く、而もその両端に、布幅に対応する幅の取手３が設けられている。把手がなく幅の広い通常のタオルでは握力やそのたの原因により自分の背中などを十分に洗浄するのが困難な者であっても、このタオルを用いることにより効果的に洗浄することができる。
【０００４】
もっとも、このタオルは、布幅が把手の幅に対応して比較的狭いため、背中に限らず広い範囲での洗浄に用いるには適しない点がある。
【先行技術文献】
【特許文献】
【０００５】
【特許文献１】特開２００７−２４４４５９号公報
【発明の概要】
【発明が解決しようとする課題】
【０００６】
本発明は、使用状況や用途に応じ幅を適宜切り替えて、自分の背中の洗浄等に効果的に使用することができる布状材料製拭材を提供することを目的とする。
【課題を解決するための手段】
【０００７】
本発明の布状材料製拭材は、次のように表すことができる。
【０００８】
(1) 略方形状の布状材料製の拭材であって、
幅方向における一方の側縁と二等分線との間の幅方向に直交する所定の直線に沿う一方の第１折線と、幅方向における他方の側縁と二等分線との間の幅方向に直交する所定の直線に沿う他方の第１折線との間の部分である基部領域と、
幅方向における両側縁と、各側縁に隣接する第１折線との間の部分である一対の側部領域を有し、
前記両第１折線に沿って内向きに同じ側に折り畳まれ、
前記基部領域に、前記両側部領域又は前記両側部領域のうち各第１折線側の部分及び更に折り返した部分が重なり、
幅方向に直交する方向の両端部において基部領域と前記両側部領域又は前記両側部領域のうち各第１折線側の部分及び更に折り返した部分が厚さ方向に重なった状態で接合されており、
前記両端部の何れか一方又は両方に、使用者の手で保持するための保持用部が設けられ、
幅方向に直交する方向の両端部の間の部分において、前記両第１折線における折り畳み状態が解除されて基部領域と両側部領域が拡開状態となり得るものであることを特徴とする布状材料製拭材。
【０００９】
略方形状の布状材料の基部領域に、両側部領域又は両側部領域のうち各第１折線側の部分及び更に折り返した部分が、折り畳まれて重なり、
幅方向に直交する方向の両端部において基部領域と前記両側部領域又は前記両側部領域のうち各第１折線側の部分及び更に折り返した部分が厚さ方向に重なった状態で接合されており、
前記両端部の何れか一方又は両方に、使用者の手で保持するための保持用部が設けられている。
【００１０】
そのため、使用者が、両方の保持用部をそれぞれ一方の手及び他方の手で（或いは、前記両端部の一方における保持用部を一方の手で、他方の端部を他方の手で）保持することにより、基部領域と前記両側部領域又は前記両側部領域のうち各第１折線側の部分及び更に折り返した部分が厚さ方向に重なった状態で接合されている両端部を、保持用部を介して又は直接に、確実に保持することができる。
【００１１】
これにより、握力やそのたの原因により自分の背中などを十分に洗浄するのが困難な者であっても、両端部の間の、略方形状の布状材料の基部領域に、両側部領域又は両側部領域のうち各第１折線側の部分及び更に折り返した部分が、折り畳まれて重なった状態の部分において、背中等の身体の洗浄やその他の用途に効果的に利用することができる。この場合、作用する力を集中させることができる。
【００１２】
また、幅方向に直交する方向の両端部の間の部分において、前記両第１折線における折り畳み状態が解除されて基部領域と両側部領域が拡開状態となり得るので、背中等の身体の洗浄やその他の用途において広範囲に作用させて効率良く用いることができる。
【００１３】
両端部の間は、使用状況に応じて、或いは用途に応じて、折り畳まれて重なった状態と拡開状態を適宜切り替えて効果的に使用することができる。
【００１４】
(2) 上記各側部領域において、幅方向における側縁と第１折線の間の幅方向に直交する所定の直線に沿う第２折線を有し、第２折線と第１折線との間が内側部領域、第２折線と側縁との間が外側部領域であり、
前記両第１折線に沿って内向きに同じ側に折り畳まれると共に前記両第２折線に沿って外向きに同じ側に折り畳まれ、
前記基部領域に前記両内側部領域が重なると共に、前記両内側部領域に前記両外側部領域が重なり、
幅方向に直交する方向の両端部において基部領域と両内側部領域と両外側部領域が厚さ方向に重なった状態で接合されており、
幅方向に直交する方向の両端部の間の部分において、前記両第１折線及び前記両第２折線における折り畳み状態が解除されて基部領域と両内側部領域と両外側部領域が拡開状態となり得るものである上記(1)記載の布状材料製拭材。
【００１５】
(3) 上記両第１折線が、略方形状の布状材料の幅方向における両側縁からそれぞれほぼ３分の１の幅の位置の幅方向に直交する直線に沿うものであり、
上記両第２折線が、略方形状の布状材料の幅方向における両側縁からそれぞれほぼ６分の１の幅の位置の幅方向に直交する直線に沿うものである上記(2)記載の布状材料製拭材。
【００１６】
(4) 略方形状の布状材料が、幅方向に対し直交する方向が長手方向である略長方形状である上記(1)乃至(3)の何れか１項に記載の布状材料製拭材。
【００１７】
(5) 保持用部が、可撓性材料製又は剛性材料製の略Ｕ字状をなすものであり、その両端が、幅方向に直交する方向の端部に結合されている上記(1)乃至(4)の何れか１項に記載の布状材料製拭材。
【発明の効果】
【００１８】
本発明の布状材料製拭材によれば、使用者が、両方の保持用部をそれぞれ一方の手及び他方の手で（或いは、前記両端部の一方における保持用部を一方の手で、他方の端部を他方の手で）保持することにより、基部領域と前記両側部領域又は前記両側部領域のうち各第１折線側の部分及び更に折り返した部分が厚さ方向に重なった状態で接合されている両端部を、保持用部を介して又は直接に、確実に保持することができる。
【００１９】
これにより、握力やそのたの原因により自分の背中などを十分に洗浄するのが困難な者であっても、両端部の間の、略方形状の布状材料の基部領域に、両側部領域又は両側部領域のうち各第１折線側の部分及び更に折り返した部分が、折り畳まれて重なった状態の部分において、背中等の身体の洗浄やその他の用途に効果的に利用することができる。この場合、作用する力を集中させることができる。
【００２０】
また、幅方向に直交する方向の両端部の間の部分において、前記両第１折線における折り畳み状態が解除されて基部領域と両側部領域が拡開状態となり得るので、背中等の身体の洗浄やその他の用途において広範囲に作用させて効率良く用いることができる。
【００２１】
両端部の間は、使用状況に応じて、或いは用途に応じて、折り畳まれて重なった状態と拡開状態を適宜切り替えて効果的に使用することができる。
【図面の簡単な説明】
【００２２】
【図１】布状材料の模式的な平面図である。
【図２】折り畳み状態の布状材料製拭材の模式的な平面図である。
【図３】図２における中央部拡大横断面図である。
【図４】折り畳み状態の布状材料製拭材の模式的な底面図である。
【図５】拡開状態の布状材料製拭材の模式的な平面図である。
【発明を実施するための形態】
【００２３】
[1] 本発明の実施の形態を、図面を参照しつつ説明する。
【００２４】
(1) この布状材料製拭材Ａは、自らの背中を始めとする身体を洗うためのものであり、幅方向と長手方向の寸法比がほぼ１：４の方形状（長方形）の布状材料Ｂ（綿タオル地）製である。
【００２５】
(2) 布状材料Ｂにおける、幅方向の一方の側縁Ｓから３分の１の幅の位置の幅方向に直交する直線、及び、幅方向の他方の側縁Ｓから３分の１の幅の位置の幅方向に直交する直線にそれぞれ沿って、第１折線Ｌ１が位置する。
【００２６】
布状材料Ｂのうち、両第１折線Ｌ１の内側部分が、基部領域Ｒである。基部領域Ｒの幅は、全体の３分の１である。
【００２７】
(3) 布状材料Ｂにおける、幅方向の一方の側縁Ｓから６分の１の幅の位置の幅方向に直交する直線、及び、幅方向の他方の側縁Ｓから６分の１の幅の位置の幅方向に直交する直線にそれぞれ沿って、第２折線Ｌ２が位置する。
【００２８】
布状材料Ｂのうち、一方の第２折線Ｌ２と、両第１折線Ｌ１のうち前記一方の第２折線Ｌ２に隣接する第１折線Ｌ１との間の部分が、一方の内側部領域Ｐであり、他方の第２折線Ｌ２と、両第１折線Ｌ１のうち前記他方の第２折線Ｌ２に隣接する第１折線Ｌ１との間の部分が、他方の内側部領域Ｐである。各内側部領域Ｐの幅は、全体の６分の１である。
【００２９】
布状材料Ｂのうち、幅方向の一方の側縁Ｓと、両第２折線Ｌ２のうち前記一方の側縁Ｓに隣接する第２折線Ｌ２との間の部分が、一方の外側部領域Ｑであり、幅方向の他方の側縁Ｓと、両第２折線Ｌ２のうち前記他方の側縁Ｓに隣接する第２折線Ｌ２との間の部分が、他方の外側部領域Ｑである。各外側部領域Ｑの幅は、全体の６分の１である。
【００３０】
(4) 布状材料Ｂは、両第１折線Ｌ１に沿って内向きに同じ側（図３における上側）に折り畳まれると共に両第２折線Ｌ２に沿って外向きに同じ側（図３における上側）に折り畳まれることにより、基部領域Ｒに両内側部領域Ｐが重なると共に、両内側部領域Ｐに両外側部領域Ｑが重なり、両第２折線Ｌ２同士は近接して並んだ状態となる。
【００３１】
この状態の布状材料Ｂの幅方向に直交する方向の両端部Ｅが、基部領域Ｒと両内側部領域Ｐと両外側部領域Ｑが厚さ方向に重なった状態で縫合により接合されている。
【００３２】
(5) 布状材料製拭材Ａの幅方向に直交する方向の両端部Ｅには、それぞれ、使用者の一方の手と他方の手で保持するための保持用部Ｈとして、幅方向のほぼ一端から他端にわたるように紐状体の両端が結合されて略Ｕ字状をなすものが設けられている。
【００３３】
(6) このように幅方向に直交する方向の両端部Ｅが、基部領域Ｒと両内側部領域Ｐと両外側部領域Ｑが厚さ方向に重なった状態で接合された布状材料製拭材Ａは、幅方向に直交する方向の両端部Ｅの間の部分において、例えば図５に示されるように両第１折線Ｌ１及び両第２折線Ｌ２における折り畳み状態が解除されて基部領域Ｒと両内側部領域Ｐと両外側部領域Ｑが拡開状態となり得る。布状材料製拭材Ａの幅方向寸法は、拡開状態において折り畳み状態の約３倍である。
【００３４】
[2] 本発明の実施の形態を、上記以外の形態を含めて更に説明する。
【００３５】
(1) 本発明の布状材料製拭材は、略方形状の布状材料製である。
【００３６】
布状材料としては、例えば、合成繊維等の化学繊維若しくは天然繊維等の繊維からなる織布若しくは編物、不織布、その他の布状材料を挙げることができるが、必ずしもこれに限るものではない。布状材料は用途に応じて選択することができるが、背中等の身体を洗う用途に好ましい例としては、タオル地やこれに類するものを挙げることができる。また、本発明の布状材料製拭材は、全てが布状材料製であることを必ずしも要しない。
【００３７】
布状材料は、幅方向に対し直交する方向が長手方向である略長方形状であることが好ましい。より好ましくは長方形状である。幅方向と長手方向の寸法比は、用途などによるが、背中を洗うためのもの等においては、例えば１：３乃至１：６の長方形状とすることができる。
【００３８】
布状材料は、その他の略方形状とすることもできる。例えば、幅方向に対し直交する方向における両側縁は、互いに平行な直線状に限らず、緩やかな湾曲状、波形状等、種々の形態をとり得る。また、正方形状、又は、幅方向に対し直交する方向が短手方向である長方形状とすることもできる。
【００３９】
(2) 略方形状の布状材料の、幅方向における一方の側縁と二等分線（略方形状の布状材料を幅方向に二等分する線）との間の幅方向に直交する所定の直線に沿って、一方の第１折線が位置し、幅方向における他方の側縁と二等分線との間の幅方向に直交する所定の直線に沿って他方の第１折線が位置する。
【００４０】
略方形状の布状材料における両第１折線の幅方向位置は、前記二等分線に対し対称状であることが望ましいが、これに限るものではない。
【００４１】
略方形状の布状材料のうち、両第１折線の内側部分が、基部領域であり、幅方向における両側縁と、各側縁に隣接する第１折線との間の部分が、一対の側部領域である。
【００４２】
略方形状の布状材料は、両第１折線に沿って内向きに同じ側に折り畳まれ、基部領域に、両側部領域又は両側部領域のうち各第１折線側の部分及び更に（１又は２回以上）折り返した部分が重なる。
【００４３】
幅方向に直交する方向の両端部において基部領域と両側部領域又は両側部領域のうち各第１折線側の部分及び更に折り返した部分が厚さ方向に重なった状態で接合されている。
【００４４】
この接合は、縫合によるものであることが好ましいが、必ずしもこれに限るものではない。以下の例においても同様である。
【００４５】
折り畳み状態の場合、作用する力を集中させたり、場合によっては石鹸等の泡立ちを良くする上で効果を発揮させることができる。
【００４６】
幅方向に直交する方向の両端部の間の部分（例えば幅方向に直交する方向の中央部を中心とする部分）において、両第１折線における折り畳み状態が解除されて基部領域と両側部領域が拡開状態となり得る。拡開状態の場合、広範囲に作用させて効率良く用いることができる。拡開状態は、一般に、湿潤状態（例えば身体等の洗浄の際の湿潤状態）である場合において維持し易い。
【００４７】
(2-1) 各側部領域には、幅方向における側縁と第１折線の間の幅方向に直交する所定の直線に沿う第２折線を有するものとすることができる。
【００４８】
各側部領域における第２折線と第１折線との間が内側部領域、第２折線と側縁との間が外側部領域である。
【００４９】
この場合、両第１折線に沿って内向きに同じ側に折り畳まれると共に両第２折線に沿って外向きに同じ側に折り畳まれ、基部領域の全部又は部分（例えば幅方向中央部又は外側部を除く部分）に両内側部領域の全部又は部分（例えば幅方向外側部を除く部分）が重なると共に、両内側部領域の全部又は部分（例えば幅方向外側部を除く部分）に両外側部領域の全部又は部分（例えば幅方向外側部を除く部分）が重なる。
【００５０】
幅方向に直交する方向の両端部において基部領域と両内側部領域と両外側部領域が厚さ方向に重なった状態で接合されており、幅方向に直交する方向の両端部の間の部分（例えば幅方向に直交する方向の中央部を中心とする部分）において、前記両第１折線及び前記両第２折線における折り畳み状態が解除されて基部領域と両内側部領域と両外側部領域が拡開状態となり得る。
【００５１】
(2-2) 両側部領域に、第２折線を有しない場合、すなわち更に折り返す部分が存在しない場合、第１折線は、例えば、略方形状の布状材料の幅方向における両側縁からそれぞれほぼ４分の１［例えば４分の１を中心とした−２０％（8/40）乃至＋２０％（12/40）、或いは−１０％乃至＋１０％。以下同じ。］の幅の位置の幅方向に直交する直線に沿うものとすることができるが、これに限るものではない。
【００５２】
第１折線が、略方形状の布状材料の幅方向における両側縁からそれぞれほぼ４分の１の幅の位置の幅方向に直交する直線に沿うものである場合、略方形状の布状材料が両第１折線に沿って内向きに同じ側に折り畳まれ、基部領域に両側部領域が重なり、両側縁同士は近接して並んだ状態となる。
【００５３】
この状態の布状材料の方向に直交する方向の両端部において基部領域と両側部領域が厚さ方向に重なった状態で接合されている。
【００５４】
幅方向に直交する方向の両端部の間の部分において、前記両第１折線における折り畳み状態が解除されて基部領域と両側部領域が拡開状態となり得る。布状材料製拭材の幅方向寸法は、拡開状態において折り畳み状態の約２倍である。
【００５５】
(2-3) 両側部領域に第２折線を有し、両側部領域に他に折り返す部分を有しない場合、第１折線は、例えば、略方形状の布状材料の幅方向における両側縁からそれぞれほぼ３分の１［例えば３分の１を中心とした−２０％（8/30）乃至＋２０％（12/30）、或いは−１０％乃至＋１０％。以下同じ。］の幅の位置の幅方向に直交する直線に沿うものとし、第２折線は、略方形状の布状材料の幅方向における両側縁からそれぞれほぼ６分の１［例えば６分の１を中心とした−２０％（8/60）乃至＋２０％（12/60）、或いは−１０％乃至＋１０％。以下同じ。］の幅の位置の幅方向に直交する直線に沿うものとすることができるが、これに限るものではない。
【００５６】
第１折線が略方形状の布状材料の幅方向における両側縁からそれぞれほぼ３分の１の幅の位置の幅方向に直交する直線に沿い、第２折線は略方形状の布状材料の幅方向における両側縁からそれぞれほぼ６分の１の幅の位置の幅方向に直交する直線に沿うものである場合、両第１折線に沿って内向きに同じ側に折り畳まれると共に前記両第２折線に沿って外向きに同じ側に折り畳まれ、基部領域に両内側部領域が重なると共に、両内側部領域に両外側部領域が重なり、両第２折線同士は近接して並んだ状態となる。
【００５７】
この状態の布状材料の幅方向に直交する方向の両端部が、基部領域と両内側部領域と両外側部領域が厚さ方向に重なった状態で接合されている。
【００５８】
幅方向に直交する方向の両端部の間の部分において、両第１折線及び両第２折線における折り畳み状態が解除されて基部領域と両内側部領域と両外側部領域が拡開状態となり得る。布状材料製拭材の幅方向寸法は、拡開状態において折り畳み状態の約３倍である。
【００５９】
なお、例えば両内側部領域よりも両外側部領域の幅がやや広く、両第１折線及び両第２折線における折り畳み状態において両側縁が幅方向に直交する方向の全長にわたり又は例えば両端部付近などの一部において両第１折線のやや外方に位置するものとすることもできる。
【００６０】
(3) 布状材料製拭材の幅方向に直交する方向の両端部の何れか一方又は両方（好ましくは両方）に、使用者の手で保持するための保持用部が設けられる。
【００６１】
保持用部は、例えば、可撓性材料製（紐製）又は剛性材料製（例えば合成樹脂製又は金属製）の略Ｕ字状をなすものであり、その両端が、幅方向に直交する方向の端部に結合されているものとすることができる。
【００６２】
このような保持用部は、例えば、幅方向に直交する方向の両端部又は一方の端部に、紐状体の両端が結合されて略Ｕ字状をなすものとすることができるが、これに限るものではない。
【００６３】
保持用部は、布状材料製拭材の幅方向に直交する方向の端部を保持用部を介して確実に保持する上で、当該端部における、幅方向のほぼ一端から他端にわたるように設けることが好ましいが、端部を保持用部を介して確実に保持し得る限りにおいて、例えば幅方向の７０乃至８０％以上にわたるように設けることもできる。
【００６４】
また、布状材料製拭材の幅方向に直交する方向の両端部又は一方の端部に、幅方向のほぼ全長又は相当部分にわたる芯材又は芯部を設けて撓み難い状態とした上で保持用部を設けることにより、使用に支障のない確実な保持が可能となる。
【符号の説明】
【００６５】
Ａ      布状材料製拭材
Ｂ      布状材料
Ｅ      端部
Ｈ      保持用部
Ｌ１    第１折線
Ｌ２    第２折線
Ｐ      内側部領域
Ｑ      外側部領域
Ｒ      基部領域
Ｓ      側縁
【図１】
2018015167.tif 000003
【図２】
2018015167.tif 000004
【図３】
2018015167.tif 000005
【図４】
2018015167.tif 000006
【図５】
2018015167.tif 000007